(57)【要約】【課題】  刑事裁判に不慣れな裁判員が、公判廷において心理的に抵抗感、嫌悪感を抱くことなく証拠物である凶器を見分することができる証拠物収納器を実現する。【解決手段】  証拠物を支持するための、内側に向けて突出する略三角形状の複数の突起を有する輪郭の孔部が設けられた４つの段ボール製の支持パットを用いる。この支持パットを段ボール製の土台パットにより水平方向において移動可動に支持する。開閉自在の蓋部２１を有するとともに正面壁１１および背面壁に開閉自在の開閉部１２ａ，１２ｂが設けられた段ボール製の方形体状のケース１０内に、土台パットにより支持された支持パットを収容する。【選択図】        図１
0003154663.tif 000002
【実用新案登録請求の範囲】
【請求項１】
証拠物（Ｋ）を支持するための、内側に向けて突出する略三角形状の複数の突起（５３ａ−１，５３ａ−２，５３ｂ−１，５３ｂ−２，３ａ−１，６３ａ−２，６３ｂ−１，６３ｂ−２，７３ａ，７３ｂ，７４ａ−１，７４ａ−２，７５ａ−１，７５ａ−２，７４ｂ−１，７４ｂ−２，７５ｂ−１、７５ｂ−２，８３ａ，８３ｂ，８４ａ，８４ｂ）を有する輪郭の所定形状の孔部（５２ａ，５２ｂ，６２，７２，）が設けられた少なくとも２つの段ボールからなる支持パット（５１，６１，７１，８１）と、
前記少なくとも２つの支持パットを水平方向において移動可動に支持するための前記段ボールからなる土台パット（４１）と、
前記土台パットにより支持された前記少なくとも２つの支持パットを収容するための、開閉自在の蓋部（２１）を有するとともに正面壁（１１）および背面壁（１８）のそれぞれに少なくとも１つの開閉自在の開閉部（１２ａ，１２ｂ）が設けられた前記段ボールからなるケース（１０）とを
具備した証拠物収納器。
【考案の詳細な説明】
【技術分野】
【０００１】
本考案は証拠物収納器に関する。具体的には、刑事裁判に不慣れな裁判員が、公判廷において心理的に抵抗感、嫌悪感を抱くことなく証拠物である凶器を見分することができる証拠物収納器を提供せんとするものである。
【背景技術】
【０００２】
例えば、殺人を対象事件とする刑事裁判では、犯罪行為に使用された凶器が、犯罪現場あるいは犯罪現場以外の場所で収集されている場合は、これを検察官が、公判廷において証拠物として裁判所および訴訟関係人に提示する（刑事訴訟法３０６条）。その場合、証拠物としての凶器は、証拠物収納器内に収納されて保管されていたものが、その状態すなわち証拠物収容器に収納された状態で公判廷において提示される。
【０００３】
そこで、従来より刑事裁判の公判廷において証拠物を提示する際に用いられている証拠物収納器の構成を、図１２に示し説明する。ここで、図１２は、この従来例の外観を示す正面図である。
【０００４】
図１２において、証拠物収納器１００は、証拠物を収納するための箱体状のケース１０１と、ケース１０１の上部開口を覆うための四角皿状の上蓋１１０とにより、方形体状に形成されている。ここにおけるケース１０１と上蓋１１０の素材には、ともに透明のアクリル樹脂が使用されている。したがって、ケース１０１内に収納された証拠物は、外部から見分できることになる。
【０００５】
ケース１０１の上部開口を覆う上蓋１１０は、図示されてはいない蝶番を介して開閉自在にケース１０１と連結されており、パチン錠１１２を介して上蓋１１０によりケース１０１の上部開口が閉じられた状態が保持される。なお、上蓋１１０の上面中央部には、証拠物収納器１００を持ち運ぶ際の便宜のため、コ字状の金属製あるいは硬質プラスチック製の把手１１１が取り付けられている。
【０００６】
図１３は、図１２に示したケース１０１の構成を示す平面図である。図示するように、ケース１０１の正面壁１０２および背面壁１０３の内壁には、多数の溝部１０４が等間隔に設けられている。この溝部１０４は、断面コ字状に形成されており、証拠物を支持するための方形状の支持板１２０ａ，１２０ｂ，１３０ａ，１３０ｂ，１４０の両縦端部が、それぞれ溝部１０４に着脱自在に嵌合するようになっている。各支持板１２０ａ，１２０ｂ，１３０ａ，１３０ｂ，１４０のサイズは、同一である。
【０００７】
これらの支持板１２０ａ，１２０ｂ，１３０ａ，１３０ｂ，１４０のうち、図１３上で左側の２つの支持板１２０ａ，１２０ｂには、図１４（ａ）（正面図）に示すように、証拠物が刃物である場合の刃物の刃部を通して支持するための、刃部の断面形状に対応した形状の２つの孔部１２１−１，−２が設けられている。
【０００８】
また、図１３上で右側の３つの支持板１３０ａ，１３０ｂ，１４０のうち、左側の２つの支持板１３０ａ，１３０ｂの上端部には、図１４（ｂ）に示すように、証拠物が拳銃である場合の、拳銃の銃口付近および銃口とトリガー・ガード（用心鉄）との中間付近をそれぞれ支持するためのＵ字状の２つの切欠部１３１−１，−２が設けられている。もう１つの支持板１４０の上端部には、図１４（ｃ）に示すように、拳銃のトリガー・ガードから銃把にかけての部位を支持するための、より深いＵ字状の２つの切欠部１４１−１，−２が設けられている。
【０００９】
このように形成された各支持板１２０ａ，１２０ｂ，１３０ａ，１３０ｂ，１４０は、ケース１０１（図１２）および上蓋１１０と同様、その素材に透明のアクリル樹脂が使用されている。なお、各支持板１２０ａ，１２０ｂ，１３０ａ，１３０ｂ，１４０の高さは、ケース１０１の内壁の高さよりは、若干低いものとなっている。
【００１０】
以上のような支持板１２０ａ，１２０ｂ，１３０ａ，１３０ｂ，１４０により、証拠物を支持する場合は、証拠物が刃物であれば、図１５（ａ）（部分断面図）に示すように、図１３上で左側の２つの支持板１２０ａ，１２０ｂの孔部１２１−１，−２に、刃物Ｋの刃部を通して刃物Ｋを支持する。
【００１１】
他方、証拠物が拳銃であれば、図１５（ｂ）に示すように、図１３上で右側の３つの支持板１３０ａ，１３０ｂ，１４０のうちの最も左側の支持板１３０ａに設けられた切欠き１３１−１，−２（図１４（ｂ））により、拳銃Ｐの銃口付近を支持する。また、その右側の支持板１３０ｂに設けられた切欠きにより、銃口とトリガー・ガードとの中間付近を支持する。さらに、その右側の支持板１４０に設けられた切欠き１４１−１，−２（図１４（ｃ））により、トリガー・ガードを支持する。
【００１２】
なお、各支持板１２０ａ，１２０ｂ，１３０ａ，１３０ｂ，１４０は、ケース１０１（図１３）の正面壁１０２および背面壁１０３の内壁に設けられた溝部１０４に着脱自在に嵌合できることから、その嵌合する位置を、証拠物のサイズに応じて適宜選ぶことができる。
【００１３】
以上のようにして各支持板１２０ａ，１２０ｂ，１３０ａ，１３０ｂ，１４０により支持されて証拠物収納器１００（図１２）内に収納された凶器は、証拠物として刑事裁判の公判廷において提示されることになる。
【考案の概要】
【考案が解決しようとする課題】
【００１４】
平成２１年５月２１日に施行された「裁判員の参加する刑事裁判に関する法律」（以下、「裁判員法」という。）が適用される刑事裁判には、刑事裁判に不慣れな裁判員が参加する。この裁判員法が適用される刑事裁判では、殺人事件、傷害致死事件などが対象事件となる（裁判員法２条１項）。したがって、公判廷においては、検察官が刃物・鈍器・銃器などの犯罪行為に使用された凶器を証拠物として示した場合は、これを裁判員が見分するようになることがある。
【００１５】
ところが、犯罪行為で凶器として使用された刃物や鈍器などには、通常は被害者の血液が付着している。その血液が付着している凶器を収納している証拠物収納器１００を、裁判員が手に持って証拠物を見分することになる。
【００１６】
しかし、従来より用いられている証拠物収納器１００は、素材にアクリル樹脂が使用されて作製されている。すなわち、ある程度堅牢に作製されており、本来繰り返して使用することができるものであって、これに接する者において「使い捨て」との印象を与えないものである。
【００１７】
そのため、実際には繰り返して使用されておらず、初めて使用される証拠物収納器１００であっても、証拠物収納器１００は繰り返して使用されるものとして、これに対して心理的に抵抗感、嫌悪感を抱く者も、裁判員の中には存在する可能性がある。しかしながら、このような裁判員にとって心理的に負担となる事態は、刑事裁判に参加することで精神的、心理的な負担を強いられる裁判員に対して、その負担をより大きくするものである。
【００１８】
このように、従来より用いられている証拠物収納器１００には、刑事裁判の公判廷において証拠物を見分する裁判員に心理的に抵抗感、嫌悪感を抱かせてしまうという解決すべき課題があった。
【課題を解決するための手段】
【００１９】
そこで、上記課題に照らし、本考案はなされたものである。そのために、本考案では、証拠物を支持するための、内側に向けて突出する略三角形状の複数の突起を有する輪郭の孔部が設けられた複数の段ボール製の支持パットを用いる。この支持パットを段ボール製の土台パットにより水平方向において移動可動に支持する。開閉自在の蓋部を有するとともに正面壁および背面壁に開閉自在の開閉部が設けられた段ボール製のケース内に、土台パットにより支持された支持パットを収容する。以上のような手段を用いるようにした。
【考案の効果】
【００２０】
本考案によるならば、殺人などを対象事件とする刑事裁判の公判廷において提示される証拠物である凶器は、段ボール製の支持パットにより支持され、凶器を支持した支持パットは、段ボール製のケース内に収容されることから、刑事裁判に不慣れな裁判員に、その証拠物収納器は「使い捨て」であるとの印象を与える。その結果、裁判員は、その証拠物収納器は繰り返して使用されるものではなく、その証拠物について初めて使用されるものとの安心感を得ることができる。すなわち、凶器に被害者の血液が付着していたとしても、繰り返して使用されるとの印象を与える従来例におけるような抵抗感、嫌悪感を抱くことなく、証拠物を見分することができることになる。したがって、本考案が刑事裁判に参加する裁判員にもたらす効果は、心理上極めて大きい。
【図面の簡単な説明】
【００２１】
【図１】本考案の一実施例の構成を示す正面図である。
【図２】図１に示したケースの構成を示す斜視図である。
【図３】図１に示したケースの展開図である。
【図４】図１に示したケースの底壁の構成を示す底面図である。
【図５】図１に示したケース内に収容される証拠物支持部の構成を示す斜視図である。
【図６】図６に示した土台パットの構成を示す斜視図である。
【図７】図６に示した土台パットの展開図である。
【図８】図５に示した支持パットの構成を示す展開図である。
【図９】図８に示した支持パットの土台パットへの嵌合状態を説明するための説明図である。
【図１０】図８とともに図５に示した支持パットの構成を示す展開図である。
【図１１】図５に示した証拠物支持部による証拠物の支持状態を説明するための説明図である。
【図１２】従来例の外観を示す正面図である。
【図１３】図１２に示したケース本体の構成を示す平面図である。
【図１４】図１３に示した支持板の構成を示す正面図である。
【図１５】図１３に示した支持板による証拠物の支持状態を示す部分断面図である。
【考案を実施するための形態】
【００２２】
本考案による証拠物収納器は、内側に向けて突出する略三角形状の複数の突起を有する輪郭の孔部が設けられた４つの段ボール製の支持パットにより、証拠物を支持する。この支持パットを段ボール製の土台パットにより水平方向において移動可動に支持する。開閉自在の蓋部を有するとともに正面壁および背面壁に開閉自在の開閉部が設けられた段ボール製の方形体状のケース内に、土台パットにより支持された支持パットを収容する。以下、実施例により詳しく説明する。
【実施例１】
【００２３】
本考案の一実施例の構成を、図１ないし図１０に示し説明する。ここで、本考案による証拠物収納器は、ケースと、ケース内に収容される証拠物支持部とからなり、図１および図４は、ケースの構成を示し、図５ないし図１０は、証拠物支持部の構成を示している。
【００２４】
図１（正面図）において、ケース１０は、その素材に段ボールが用いられて方形体状に形成されており、用いられる段ボールの種類は、本実施例においてはＢフルートである。サイズは、本実施例では、長さ（図１上で左右の長さ）が４００mm、高さおよび奥行きがそれぞれ１００mmである。
【００２５】
このケース１０の正面壁１１には、方形状に形成された開閉自在の２つの開閉部１２ａ，１２ｂが、その間に空隙部Ｍをおいて設けられている。これらの開閉部１２ａ，１２ｂの上端には、直線状のミシン目１４ａ，１４ｂが設けられるとともに、下端中央部には、手の指を差し込むための半円状の切欠き１３ａ，１３ｂが設けられている。このような構成の開閉部１２ａ，１２ｂは、ケース１０の背面壁にも設けられている。
【００２６】
また、正面壁１１の上端には、ケース１０の上部開口を覆う開閉自在の蓋部２１の前縁部に設けられた凹部に嵌合する突出部１５ａ，１５ｂが設けられている。ここにおける蓋部２１には、図２（斜視図）に示すように、その前縁に差込片２２が延設されており、正面壁１１に延設された蓋部受片１６に設けられたスリット１７に嵌合することにより、蓋部２１の閉じた状態が維持される。閉じられた蓋部２１は、各側壁２３ａ，２３ｂに延設された蓋部受片２４ａ，２４ｂによっても受けられる。
【００２７】
図３は、以上のような構成のケース１０の展開図であり、破線で示す折り曲げ線に沿って各部を折り曲げたうえで、背面壁１８に延設された係合片３１、各側壁２３ａ，２３ｂに延設された係合片３２ａ，３２ｂ、および正面壁１１に延設された係合片３３を係合させて、図４に示すような底壁を形成するようにする。
【００２８】
そこで、背面壁１８に延設された貼着片１９を、正面壁１１に延設された側壁２３ａに接着剤を用いて貼着することにより、ケース１０の方形体状の形態が保持される。なお、破線が折り曲げ線を示すこと、および一部を切り欠いた表示が段ボールの中芯の配列方向を示している点は、以下の各展開図において同じである。
【００２９】
図５は、ケース１０内に収容される、証拠物を支持するための証拠物支持部４０の構成を示す斜視図である。証拠物支持部４０は、土台パット４１と、これに支持されて水平方向において移動可能である、証拠物の各部を支持する４つの支持パット５１，６１，７１，８１とにより構成されている。土台パット４１および各支持パット５１，６１，７１，８１の素材も、本実施例においてはＢフルートの段ボールである。
【００３０】
図６は、土台パット４１の構成を示す斜視図であり、図７は展開図である。図６に示されているように、方形状の打抜部４３ａ，４３ｂが設けられている上壁４２が上面となり、内底壁４５と外底壁４７とが重合するように、図７の折り曲げ線に沿って折り曲げたうえで、上壁４２の両端部に設けられている各切欠き４４ａ，４４ｂに、外底壁４７の両端部に延設されている各係止片４８ａ，４８ｂを係止すると、土台パット４１は、上壁４２と内底壁４５との間に空隙部を有する形態が保持される。
【００３１】
図８（ａ）は、図５上で最も左側の支持パット５１の構成を示す展開図である。図示するように、支持パット４１には、内側に向けて突き出す略三角形状の複数の突起５３ａ−１，−２，５３ｂ−１，−２を有する輪郭の、刃物の刃部の断面形状に対応した形状の２つの孔部５２ａ，５２ｂが、線対称に設けられている。ここにおける突起５３ａ−１，−２，５３ｂ−１，−２は、血液が付着している刃物などの証拠物に線接触することにより、その証拠物に付着している血液が支持パット４１に付着するのを最小限にとどめるためのものである。
【００３２】
また、支持パット５１の両端には、土台パット４１における上壁４２と内底壁４５との間の空隙部に嵌合する方形状の嵌合片５４ａ，５４ｂが延設されている。この嵌合片５４ａ，５４ｂが、図９（部分断面図）に示すように、土台パット４１における上壁４２と内底壁４５との間の空隙部に嵌合することにより、支持パット５１が支持されるとともに、土台パット４１の長さ方向において移動が可能となる。
【００３３】
図８（ｂ）は、図５上で左側から２番目の支持パット６１の構成を示す展開図である。ここに示した支持パット６１には、図８（ａ）に示した支持パット５１における孔部５２ａ，５２ｂよりは大きいサイズの、略三角形状の突起６３ａ−１，−２，６３ｂ−１，−２を有する輪郭の１つの孔部６２が設けられるとともに、その両端に、土台パット４１における上壁４２と内底壁４５との間の空隙部に嵌合する嵌合片６４ａ，６４ｂが延設されている。
【００３４】
図１０（ａ）は、図５上で右側から２番目の支持パット７１の構成を示す展開図である。この支持パット７１には、略方形状の１つの孔部７２が設けられており、その短辺部分には、それぞれ略三角形状の１つの突起７３ａ，７３ｂが突き出し、長辺部分には、それぞれ略三角形状の４つの突起７４ａ−１，−２，７５ａ−１，−２，７５ｂ−１，−２，７４ｂ−１，−２が突き出している。この支持パット７１ にも、その両端に、土台パット４１における上壁４２と内底壁４５との間の空隙部に嵌合する嵌合片７６ａ，７６ｂが延設されている。
【００３５】
図１０（ｂ）は、図５上で最も右側の支持パット８１の構成を示す展開図である。この支持パット８１は、その半部に略方形状の１つの孔部８２が設けられ、その短辺部分および長辺部分に、それぞれ略三角形状の１つの突起８３ａ，８３ｂ，８４ａ，８４ｂが突き出している。土台パット４１における上壁４２と内底壁４５との間の空隙部に嵌合する嵌合片７６ａ，７６ｂが両端に延設されている点は、他の支持パット５１，６１  ，７１と同じである。
【００３６】
図１１は、以上に説明した証拠物支持部４０により、証拠物としての刃物を支持している状態を示している。すなわち、図８（ａ）に示した支持パット５１により刃物Ｋの刃先近傍が支持され、図８（ｂ）に示した支持パット６１により刃物Ｋの刃部の中間付近が支持され、図１０（ａ）に示した支持パット７１により刃物Ｋの柄の前端部が支持され、図１０（ｂ）に示した支持パット８１により刃物Ｋの柄の後端部が支持される。このとき、各支持パット５１，６１，７１，８１は、すべて線接触で刃物Ｋを支持している。したがって、刃物Ｋに被害者の血液が付着していたとしも、支持パット５１，６１，７１，８１への血液の付着を最小限度にとどめることができる。
【００３７】
このようにして刃物Ｋを支持した証拠物支持部４０は、ケース１０内に収容され、その状態で刑事裁判の公判廷において提示される。そこで、裁判員は、本体ケース１０の蓋部２１（図１）や開閉部１２ａ，１２ｂを開けたうえで、内部に収納された刃物Ｋを見分することになる。
【００３８】
その際、ケース１０および証拠物支持部４０は、段ボールにより作製されていることから、アクリル樹脂製の従来例とは異なって、裁判員に「使い捨て」との印象を与える。すなわち、繰り返して使用されるものではなく、その証拠物について初めて使用されるものとの安心感を与えるものである。したがって、従来例におけるように心理的に抵抗感、嫌悪感を抱くことなく、証拠物を見分することができることになる。
【００３９】
以上においては、ケース１０、土台パット４１および各支持パット５１，６１，７１，８１の素材として、Ｂフルートの段ボールを用いる場合を例に挙げて説明した。しかし、本考案は、これに限定されものではない。Ａ〜Ｇフルートの段ボールを素材に用いる場合に、本考案は適用され得るものである。
【００４０】
また、ケース１０の正面壁１１および背面壁１８に、それぞれ２つの開閉部１２ａ，１２ｂを設ける場合について説明したが、本考案は、これに限られるものではない。ケース１０の正面壁１１および背面壁に、それぞれ少なくとも１つの開閉部を設ける場合について、本考案は、適用し得るものである。
【００４１】
さらに、証拠支持部４０が証拠物を支持する４つの支持パット５１，６１，７１，８１を備える場合について説明した。しかし、本考案は、これに限定されるものではない。少なくとも２つの支持パットを備える場合について、本考案は適用することができるものである。支持パット５１，６１，７１，８１は、水平方向において移動可能であることから、用いる支持パットの数に応じて、支持パット間の間隔を調整するようにすればよい。
【００４２】
また、支持パット５１，６１，７１，８１に設ける孔部の形状は、図８および図１０に示したものに限られるものではなく、犯罪行為に使用される凶器（例えば、鉄パイプ、ハンマーなど）各部の断面形状に応じて形成することが可能である。
【符号の説明】
【００４３】
１０  ケース
１１  正面壁
１２ａ，１２ｂ  開閉部
１３ａ，１３ｂ  切欠き
１４ａ，１４ｂ  ミシン目
１５ａ，１５ｂ  突出部
１６  蓋部受片
１７  スリット
１８  背面壁
１９  貼着片
２１  蓋部
２２  差込片
２３ａ，２３ｂ  側壁
２４ａ，２４ｂ  蓋部受片
３１，３２ａ，３２ｂ，３３  係合片
４０  証拠物支持部
４１  土台パット
４２  上壁
４３ａ，４３ｂ  打抜部
４４ａ，４４ｂ  切欠き
４５  内底壁
４６ａ，４６ｂ  切欠き
４７  外底壁
４８ａ，４８ｂ  係止片
５１  支持パット
５２ａ，５２ｂ  孔部
５３ａ−１，５３ａ−２，５３ｂ−１，５３ｂ−２  突起
５４ａ，５４ｂ  嵌合片
６１  支持パット
６２  孔部
６３ａ−１，６３ａ−２，６３ｂ−１，６３ｂ−２  突起
６４ａ，６４ｂ  嵌合片
７１  支持パット
７２  孔部
７３ａ，７３ｂ，７４ａ−１，７４ａ−２，７５ａ−１，７５ａ−２，７４ｂ−１，７４ｂ−２，７５ｂ−１、７５ｂ−２  突起
７６ａ，７６ｂ  嵌合片
８１  支持パット
８２  孔部
８３ａ，８３ｂ，８４ａ，８４ｂ  突起
８５ａ，８５ｂ  嵌合片
１００  証拠物収納器
１０１  ケース本体
１０２  正面壁
１０３  背面壁
１０４  溝部
１１０  上蓋
１１１  把手
１１２  パチン錠
１２０ａ，１２０ｂ，１３０ａ，１３０ｂ，１４０  支持板
１２１−１，１２１−２  孔部
１３１−１，１３１−２，１４１−１，１４１−２  切欠き
Ｋ  刃物
Ｍ  空隙部
Ｐ  拳銃
【図１】
0003154663.tif 000003
【図２】
0003154663.tif 000004
【図３】
0003154663.tif 000005
【図４】
0003154663.tif 000006
【図５】
0003154663.tif 000007
【図６】
0003154663.tif 000008
【図７】
0003154663.tif 000009
【図８】
0003154663.tif 000010
【図９】
0003154663.tif 000011
【図１０】
0003154663.tif 000012
【図１１】
0003154663.tif 000013
【図１２】
0003154663.tif 000014
【図１３】
0003154663.tif 000015
【図１４】
0003154663.tif 000016
【図１５】
0003154663.tif 000017